(57)【要約】【課題】一枚の印刷媒体に対して複数のページを面付けして印刷する場合に、不良ページを後工程で適切に除去し、不良ページ以外のページを抽出して後工程による処理を行うことができなかった。【解決手段】複数のページの画像を示す画像データを取得し、前記画像データに基づいて複数の前記ページを印刷媒体に面付けし、前記面付けに従って印刷部に印刷を実行させ、前記印刷後の印刷媒体を検査する検査部の出力情報に基づいて不良ページを示す不良ページ情報を取得し、前記不良ページ情報を印刷するための不良ページ情報印刷部を制御して、前記不良ページが印刷された印刷媒体に前記不良ページ情報を印刷させる。【選択図】図２
2009202438.tif 000002
【特許請求の範囲】
【請求項１】
複数のページの画像を示す画像データを取得する画像データ取得手段と、
前記画像データに基づいて複数の前記ページを印刷媒体に面付けする面付け処理手段と
、
前記面付けに従って印刷部に印刷を実行させる印刷制御手段と、
前記印刷後の印刷媒体を検査する検査部の出力情報に基づいて不良ページを示す不良ペ
ージ情報を取得する不良ページ情報取得手段と、
前記不良ページ情報を印刷するための不良ページ情報印刷部を制御して、前記不良ペー
ジが印刷された印刷媒体に前記不良ページ情報を印刷させる不良ページ情報印刷制御手段
と、
を備える印刷制御装置。
【請求項２】
前記不良ページ情報に基づいて、前記不良ページを印刷するための再面付けを行い、前
記印刷部に当該再面付けに基づく再印刷を実行させる再印刷制御手段を備える、
請求項１に記載の印刷制御装置。
【請求項３】
前記面付け処理手段は、前記印刷媒体の両面に前記ページを面付けし、
前記不良ページ情報印刷制御手段は、前記両面のうち後に印刷した面に前記不良ページ
情報を印刷する、
請求項１または請求項２のいずれかに記載の印刷制御装置。
【請求項４】
前記不良ページ情報印刷制御手段は、前記不良ページが印刷された印刷媒体の複数の箇
所に前記不良ページ情報を印刷させる、
請求項１〜請求項３のいずれかに記載の印刷制御装置。
【請求項５】
前記印刷媒体に印刷される不良ページ情報は、前記印刷媒体の搬送方向に対して非平行
な方向に延びる複数の線によって前記不良ページを示す記号である、
請求項１〜請求項４のいずれかに記載の印刷制御装置。
【請求項６】
請求項１〜請求項５のいずれかに記載の印刷制御装置と、
前記印刷媒体に印刷された前記不良ページ情報を読み取る不良ページ情報読取手段と、
前記印刷媒体を切断して前記ページ毎の印刷物とする切断手段と、
前記読み取った不良ページ情報に基づいて、前記切断された前記ページ毎の前記印刷物
から不良ページ以外のページを選別する選別手段と、
を備える印刷システム。
【請求項７】
複数のページの画像を示す画像データを取得する画像データ取得工程と、
前記画像データに基づいて複数の前記ページを印刷媒体に面付けする面付け処理工程と
、
前記面付けに従って印刷部に印刷を実行させる印刷制御工程と、
前記印刷後の印刷媒体を検査する検査部の出力情報に基づいて不良ページを示す不良ペ
ージ情報を取得する不良ページ情報取得工程と、
前記不良ページ情報を印刷するための不良ページ情報印刷部を制御して、前記不良ペー
ジが印刷された印刷媒体の複数の箇所に前記印刷媒体の搬送方向に対して非平行な方向に
延びる複数の線によって構成した前記不良ページ情報を印刷させる不良ページ情報印刷制
御工程と、
前記不良ページ情報に基づいて、前記不良ページを印刷するための再面付けを行い、前
記印刷部に当該再面付けに基づく再印刷を実行させる再印刷制御工程と、
を含む印刷制御方法。
【請求項８】
複数のページの画像を示す画像データを取得する画像データ取得機能と、
前記画像データに基づいて複数の前記ページを印刷媒体に面付けする面付け処理機能と
、
前記面付けに従って印刷部に印刷を実行させる印刷制御機能と、
前記印刷後の印刷媒体を検査する検査部の出力情報に基づいて不良ページを示す不良ペ
ージ情報を取得する不良ページ情報取得機能と、
前記不良ページ情報を印刷するための不良ページ情報印刷部を制御して、前記不良ペー
ジが印刷された印刷媒体の複数の箇所に前記印刷媒体の搬送方向に対して非平行な方向に
延びる複数の線によって構成した前記不良ページ情報を印刷させる不良ページ情報印刷制
御機能と、
前記不良ページ情報に基づいて、前記不良ページを印刷するための再面付けを行い、前
記印刷部に当該再面付けに基づく再印刷を実行させる再印刷制御機能と、
をコンピュータに実現させる印刷制御プログラム。
【発明の詳細な説明】
【技術分野】
【０００１】
本発明は、一枚の印刷媒体に複数のページを面付けして印刷し、当該ページを印刷の後
工程で利用する印刷制御装置、方法およびプログラムに関する。
【背景技術】
【０００２】
従来、印刷済の印刷媒体をカメラで撮影し、撮影結果に基づいて印刷不良の有無を検査
し、不良が発生している場合には当該不良ページを破棄して再印刷する印刷システムが知
られている（例えば、特許文献１，２）。
【特許文献１】特開平９−２１６４４０号公報
【特許文献２】特開平９−２４０１２０号公報
【発明の開示】
【発明が解決しようとする課題】
【０００３】
従来の技術においては、一枚の印刷媒体に対して複数のページを面付けして印刷する場
合に、不良ページを後工程で適切に除去し、不良ページ以外のページを抽出して後工程に
よる処理を行うことができなかった。すなわち、従来の技術においては、不良印刷物に対
して不良印刷物にマーキングを行い、マーキングがなされた印刷物を廃棄する技術につい
て開示されているが、複数のページを一枚の印刷媒体に面付けして印刷する場合に、不良
ページを適切に除去する技術については開示されていない。
本発明は、上記課題にかんがみてなされたもので、一枚の印刷媒体に対して複数のペー
ジを面付けして印刷する場合に、不良ページを後工程で適切に除去し、不良ページ以外の
ページを抽出して後工程による処理を行うことを目的とする。
【課題を解決するための手段】
【０００４】
上記の目的を達成するため、本発明においては、印刷媒体を検査する検査部の出力情報
に基づいて、複数のページを印刷媒体に面付けして印刷を行った場合の不良ページを示す
不良ページ情報を取得する。そして、不良ページが印刷された印刷媒体に当該不良ページ
情報を印刷させる。このため、当該不良ページ情報に基づいて印刷媒体に含まれる不良ペ
ージを容易に特定することが可能になり、印刷の後工程にて容易に不良ページの除去およ
び良ページの抽出を行うことが可能になる。
【０００５】
すなわち、一枚の印刷媒体に対して複数のページを面付けして印刷を行う場合、面付け
したページのいずれかが不良ページになると当該印刷媒体上に不良ページと良ページとが
混在し得る。従って、良ページのみによって印刷の後工程（例えば、切断や製本等）にお
ける処理を行うためには、不良ページと良ページとが混在する印刷媒体から不良ページの
みを除去し、良ページを抽出する必要がある。そこで、本発明においては、不良ページを
含む印刷媒体に不良ページ情報を印刷し、後工程において当該不良ページ情報を取得でき
るように構成した。この結果、適切に不良ページを除去し、良ページを抽出することが可
能になる。
【０００６】
なお、印刷媒体に対して不良ページ情報を印刷する構成は、印刷媒体に対する印刷を行
う印刷部と後工程を行う装置とが物理的に離れている場所にある場合や、後工程を行う装
置にて有線通信や無線通信などの情報伝達手段を備えない構成となっている場合に適用す
ることが好ましい。すなわち、このような構成においては、印刷装置による印刷と後工程
の処理とが連携しておらず、両者の処理速度が異なるのが通常である。従って、このよう
な構成において、一旦印刷を行って一定量の印刷媒体を蓄積し、所定量の印刷媒体を後工
程に搬送してから後工程の処理を進める。このような処理態様であったとしても、印刷媒
体に不良ページ情報を印刷しておけば、任意のタイミングで処理を開始する後工程が不良
ページ情報を必要とするときにその情報を取得することができ、印刷および印刷の後工程
を含むシステム全体で極めて便利に不良ページ情報の伝達を行うことが可能になる。
【０００７】
ここで、面付け処理手段は、複数のページを印刷媒体に面付けする処理を行うことがで
きれば良く、画像データに含まれる印刷条件や利用者が指示する印刷条件に従って複数の
ページを印刷媒体に面付けする。例えば、印刷媒体の大きさ、ページの大きさ、両面印刷
の有無、綴じ方等を指定した印刷条件によれば、印刷媒体へのページの面付けを特定する
ことが可能であるため、公知のアルゴリズムによって面付けを行う。
【０００８】
印刷制御手段は、面付けに従って印刷部に印刷を実行させることができれば良く、面付
けに従って各ページを印刷させるためのデータを印刷部に出力し、印刷を実行させればよ
い。むろん、ここでは、必要に応じて画像データに対して所定の処理を行っても良く、例
えば、画像データに対して補間処理や色変換処理、ハーフトーン処理等を行って画素毎の
データを生成し、当該データに基づいて画素毎にインクやトナーを記録するように印刷部
を制御することができればよい。
【０００９】
不良ページ情報取得手段は、検査部の出力情報に基づいて不良ページ情報を取得するこ
とができれば良く、当該不良ページ情報は印刷の後工程において不良ページを特定可能に
構成されていればよい。例えば、複数のページから不良のページを特定するための情報と
してのページ番号によって不良ページ情報を構成してもよいし、他の情報、例えば、不良
ページの印刷位置を示す情報や不良ページが印刷された印刷媒体を特定するための情報等
を不良ページ情報に含めても良い。
【００１０】
なお、検査部は、印刷後の印刷媒体を検査することができれば良く、印刷部による印刷
後の印刷媒体を撮影するカメラや当該印刷媒体に印刷された画像を読み取るスキャナ等に
よって構成することが可能である。すなわち、カメラやスキャナの出力情報が示す画像と
、印刷したページの画像データが示す画像とを比較することによって、ドットの抜けやイ
ンク，トナー等の不正な記録等を不良として特定することが可能である。
【００１１】
不良ページ情報印刷手段は、不良ページ情報印刷部を制御して不良ページが印刷された
印刷媒体に不良ページを印刷させることができればよい。当該不良ページを印刷させるた
めのデータを不良ページ情報印刷部に出力し、印刷を実行させればよい。また、ここでは
、後工程において不良ページを特定できるように不良ページ情報を印刷することができれ
ば良く、文字，記号など、各種の態様にて不良ページ情報を印刷することができる。また
、本発明において、各ページを印刷する印刷部と不良ページ情報を印刷する不良ページ情
報印刷部とは、同じ機構によって構成してもよいし別の機構によって構成してもよい。さ
らに、不良ページ情報は印刷媒体上の任意の位置に印刷することが可能であり、例えば、
印刷媒体の欄外（印刷媒体上でページを構成する部位以外の部位）を不良ページ情報の印
刷位置とする構成を採用可能である。
【００１２】
さらに、不良ページが発生した場合には、当該不良ページを再印刷することが好ましい
。すなわち、再印刷制御手段によって、不良ページを印刷するための再面付けを行い、印
刷部に当該再面付けに基づく再印刷を実行させる。ここで、再印刷制御手段は、少なくと
も不良ページを再度面付けし、印刷条件に応じて必要があれば不良ページとともに他のペ
ージを再度面付けする。そして、当該面付けした不良ページ（他のページも面付けした場
合には当該他のページを含む）を再印刷する。この結果、複数のページを印刷媒体に面付
けして印刷した各ページの一部または全部に印刷不良が発生したとしても、適切な面付け
を行った状態で不良ページに関する印刷結果を得ることができる。例えば、特定の綴じ方
で印刷するように面付けを行ったページが不良ページとなった場合、綴じ方によっては不
良ページの印刷媒体上での印刷位置が限定され、また、他のページの再印刷が必要になる
など、適切な再印刷に再面付けが必要になる場合がある。そこで、不良ページを印刷する
ための再面付けを行って再印刷を行うことにより、不良ページを適切に再印刷することが
できる。むろん、再印刷に際しては、印刷制御手段と同様に適宜必要な画像処理を行えば
よい。なお、印刷部においては、再印刷を行うための機構と、再印刷以前の初回印刷を行
うための機構とを共通の機構で構成してもよいし、別個の機構で構成してもよく種々の構
成を採用可能である。
【００１３】
さらに、印刷媒体の両面にページを面付けする構成において、当該両面のうち、後に印
刷した面に不良ページ情報を印刷する構成を採用しても良い。当該構成によれば、一方の
面が印刷部に向くようにして印刷媒体を搬送し、当該一方の面を印刷した後に印刷媒体を
反転させて他方の面に印刷を行う構成において、反転を行うことなく不良ページ情報を印
刷することができる。従って、印刷媒体の搬送機構を簡易な構成とすることができる。
【００１４】
さらに、不良ページ情報を印刷媒体の複数の箇所に印刷する構成を採用しても良い。こ
の構成によれば、後工程において、当該複数の箇所に印刷された複数の不良ページ情報を
読み取ることにより、不良ページ情報の誤認識率を低下させることができる。また、後工
程において不良ページ情報の少なくとも一カ所を読み取る構成とするにあたり、不良ペー
ジ情報の読取手段の設置自由度を高めることができる。
【００１５】
さらに、印刷媒体上に印刷される不良ページ情報を複数の線（例えば、バーコード）か
らなる記号とする構成において、当該複数の線を、印刷媒体の搬送方向に対して非平行な
方向に延びる複数の線とする構成を採用しても良い。すなわち、複数のノズルからインク
を吐出して画像を印刷するインクジェット方式においては、特定のノズルにおいてインク
詰まりが発生したときなどに印刷媒体の搬送方向に平行な方向にドットが記録されない、
いわゆるドット抜けが発生し得る。従って、不良ページ情報を構成する複数の線を印刷媒
体の搬送方向に平行な方向を向いた直線で構成すると、ドット抜けによって線の幅が変動
し得る。この場合、不良ページ情報が正確に印刷されない可能性がある。そこで、印刷媒
体の搬送方向に対して非平行な方向に延びる複数の線によって不良ページ情報を構成すれ
ば、ドット抜けが生じた場合であっても適正な不良ページ情報が印刷されるように構成す
ることができる。なお、ここでは、不良ページ情報を構成する複数の線が、印刷媒体の搬
送方向に対して非平行であれば良く、当該搬送方向に垂直であっても良いし、搬送方向に
対して０°を除く任意の角度（例えば、４５°）で交差するように配向するように構成し
てもよく、種々の構成を採用可能である。なお、不良ページ情報を複数の矩形（例えば、
２次元バーコード）によって構成してもよく、この場合も矩形の辺を印刷媒体の搬送方向
に対して非平行とする構成を採用可能である。
【００１６】
さらに、不良ページ情報を利用して後工程を行う装置を含めた印刷システムを提供する
ことも可能である。例えば、後工程において、印刷媒体を切断してページ毎の印刷物とす
る構成において、印刷媒体に印刷された不良ページ情報を読み取り、当該読み取った不良
ページ情報に基づいて、切断にて得られた印刷物から不良ページ以外の良ページを選別す
る構成としても良い。この構成によれば、後工程において、不良ページ情報に基づいて正
確に不良ページを除去し、良ページのみを選別することができる。むろん、不良ページを
再印刷し、再印刷後のページが良ページであれば当該良ページを選別する。また、後工程
は印刷媒体の切断とページの選別に限定されず、選別後のページをソートするソーターや
、ソート後のページを製本する（あるいは綴じる）製本機を含んでいても良く、カッター
、セレクタ、ソーター、製本機のいずれにおいて上述の読み取った不良ページ情報を利用
しても良い。
【００１７】
さらに、本発明のように一枚の印刷媒体に複数のページを面付けした場合に発生する不
良ページの情報を後工程で利用できるように印刷する手法は、プログラムや方法としても
適用可能である。また、以上のような印刷制御装置、プログラム、方法は、単独の印刷制
御装置として実現される場合もあれば、複数の装置を組み合わせることによって実現され
る場合もあり、各種の態様を含むものである。例えば、コンピュータと印刷制御装置が協
働することによって本発明にかかる印刷制御装置や方法、プログラムを提供することが可
能である。また、一部がソフトウェアであり一部がハードウェアであったりするなど、適
宜、変更可能である。さらに、印刷制御装置を制御するプログラムの記録媒体としても発
明は成立する。むろん、そのソフトウェアの記録媒体は、磁気記録媒体であってもよいし
光磁気記録媒体であってもよいし、今後開発されるいかなる記録媒体においても全く同様
に考えることができる。
【発明を実施するための最良の形態】
【００１８】
ここでは、下記の順序に従って本発明の実施の形態について説明する。
（１）印刷制御装置の構成：
（２）印刷制御処理：
（２−１）印刷例１：
（２−２）印刷例２：
（２−３）印刷例３：
（２−４）印刷例４：
（３）他の実施形態：
【００１９】
（１）印刷制御装置の構成：
図１は、コンピュータを本発明にかかる印刷制御装置１０として機能させる実施形態を
示すブロック図である。印刷制御装置１０は、ＲＡＭ，ＲＯＭ，ＣＰＵ等を備える制御部
２０を備えており、ＲＯＭ等に記録されたプログラムを制御部２０で実行することができ
る。本実施形態においては、このプログラムの一つとして印刷制御プログラム２１を実行
可能であり、当該印刷制御プログラム２１はその機能の一つとしてページを印刷媒体に面
付けして印刷し、不良ページが発生した場合には当該不良ページを示す不良ページ情報を
印刷する機能を備えている。
【００２０】
また、印刷制御装置１０は、外部機器との図示しないインタフェースを備えており、当
該インタフェースを介して他のコンピュータや記録媒体等に記録された画像データ４１を
取得する。さらに、印刷制御装置１０は、インタフェースを介して印刷部３０や検査部３
１に接続されている。印刷部３０は、複数のインク吐出ノズルを備えた印刷ヘッド３０ａ
と印刷媒体Ｐを搬送する搬送部３０ｂとを備えており、搬送部３０ｂにて印刷媒体Ｐを搬
送しながらインク吐出ノズルからインクを吐出させ、画像を印刷することができる。なお
、本実施形態における印刷ヘッド３０ａは、印刷媒体Ｐの搬送方向Ｄに垂直な方向に沿う
当該印刷媒体Ｐの全長に渡ってインクを吐出することが可能である（図１に示す太い矢印
は印刷媒体Ｐの搬送経路を示している）。すなわち、印刷部３０は、印刷媒体Ｐの搬送方
向に垂直な方向には走査を行わない方式にて印刷を行う。検査部３１は、搬送部３０ｂに
て搬送される印刷媒体Ｐの画像を取得する読み取り装置であり、印刷ヘッド３０ａによる
印刷済の印刷媒体Ｐを読み取って当該印刷媒体Ｐの画像を示す印刷済画像データを取得す
る。不良ページ情報印刷部３３は、印刷媒体Ｐの搬送経路上において印刷ヘッド３０ａお
よび検査部３１よりも下流側（搬送方向に沿った後段）に、印刷媒体Ｐに対して印刷を行
うことが可能な位置に設置されている。本実施形態において不良ページ情報印刷部３３は
、インクジェット方式にてバーコード記号によって不良ページを示す情報を印刷する機構
である。
【００２１】
さらに、本実施形態においては、上述の構成によって印刷を行った後に印刷物を製本す
るための後工程を実行する装置が構成されている。すなわち、印刷済の複数の印刷媒体を
蓄積するためのスタッカー３４、蓄積された複数の印刷媒体を切断してページ毎の印刷物
とするカッター３５、切断によって得られた各ページから良ページを選別するセレクタ３
６、選別された各ページを製本に適合した順序に並べ替えるソーター３７、並べ替えられ
た複数のページを製本する製本機３８が構成されている。なお、本実施形態においては、
カッター３５に不良ページ情報読取部３５ａが備えられており、カッター３５による切断
が行われる前に当該不良ページ情報読取部３５ａによって印刷媒体Ｐの欄外に印刷された
不良ページ情報を読み取ることができる。
【００２２】
印刷制御装置１０は、複数のページの画像を示す画像データ４１に基づいて複数のペー
ジを印刷媒体に面付けし、当該面付けに従って印刷を行わせるための印刷データを生成し
て印刷部３０に対して出力する。印刷部３０は、当該印刷データに基づいて印刷を行い、
検査部３１は当該印刷済の印刷媒体Ｐの画像を示す印刷済画像データを出力する。印刷制
御装置１０は、当該印刷済画像データに基づいて不良ページが存在するか否かを検査し、
不良ページが存在した場合には不良ページを示す不良ページ情報を印刷媒体に印刷する。
また、不良ページを再面付けして再印刷する。さらに、後工程において、カッター３５は
、スタッカー３４にて蓄積された印刷媒体を取得して各印刷媒体上に印刷された不良ペー
ジ情報を読み取る。そして、印刷媒体を切断して各ページを取得するとともに不良ページ
情報をセレクタ３６に受け渡す。セレクタ３６は当該不良ページ情報に基づいて各ページ
の中から良ページを選別する。ソーター３７は再印刷された良ページを含めて適切な順序
に各ページを並べ替え、製本機３８は並べ替え後の各ページを製本する。従って、本実施
形態によれば、印刷の後工程にて不良ページ情報に基づいて容易に不良ページの除去およ
び良ページの抽出を行うことが可能である。なお、本実施形態においては、後述するよう
に、不良ページの再印刷後にも当該再印刷されたページが不良ページであるか否かを判定
し、不良ページである場合には不良ページ情報を印刷する。従って、印刷媒体に印刷され
た不良ページ情報が不良ページの発生を示していなければ良ページであると判定すること
ができ、当該良ページを抽出すればよい。また、ソーター３７においては、面付けルール
（例えば、ページ番号が小さい順に面付けする）に基づいて良ページのページ番号を特定
するなどして各ページを特定すればよい。むろん、不良ページ情報に不良ページの面付け
位置や良ページの面付け位置等を示す情報が含まれるように構成することも可能であり、
この場合は、当該情報に基づいて良ページを選別することも可能である。
【００２３】
（２）印刷制御処理：
以上の各ページの印刷処理と不良ページ情報の印刷処理は、印刷制御プログラム２１が
制御部２０に所定の処理を行わせることによって実現され、本実施形態において印刷制御
プログラム２１は画像データ取得部２１ａ、面付け処理部２１ｂ、印刷制御部２１ｃ、不
良ページ情報取得部２１ｄ、不良ページ情報印刷制御部２１ｅ、再印刷制御部２１ｆの各
モジュールを備えている。印刷制御処理においては、予め印刷条件を指定して印刷処理を
開始する。なお、印刷条件は、印刷媒体の大きさ、印刷媒体に印刷される各ページの大き
さ、両面印刷の有無、綴じ方の指定等を示す情報である。
【００２４】
印刷処理（図２参照）が開始されると、制御部２０が画像データ取得部２１ａの処理に
より複数のページの画像を示す画像データ４１を取得し（ステップＳ１００）、面付け処
理部２１ｂの処理により画像データ４１が示す各ページを印刷媒体に対して面付けする（
ステップＳ１０５）。ここでは、印刷条件に応じた印刷物を得るために各ページを印刷媒
体に対して面付けすることができれば良く、公知のアルゴリズムによって面付けを行う。
この結果、画像データ４１に含まれる複数の印刷対象ページのそれぞれについて、印刷媒
体上の位置や向きを示す情報が生成される。
【００２５】
次に、制御部２０は印刷制御部２１ｃの処理により、面付けに従って印刷部３０に印刷
を実行させるための印刷データを生成する（ステップＳ１１０）。本実施形態において、
印刷制御部２１ｃは、画像調整部２１ｃ１と色変換処理部２１ｃ２とハーフトーン処理部
２１ｃ３との各モジュールを備えており、これらのモジュールによって印刷データが生成
される。
【００２６】
より具体的には、画像調整部２１ｃ１の処理により、制御部２０は、印刷条件（解像度
等）に応じた印刷であって、上述の面付け通りの印刷を行うためのイメージデータを生成
する。すなわち、制御部２０は、印刷解像度に応じた画素数の画素平面を一枚の印刷媒体
Ｐに対して対応付け、画像データ４１に基づいて補間処理を行うことによって、当該画素
平面の各画素の階調値を決定して前記イメージデータを生成する。また、このとき、前記
面付け通りに各ページが印刷されるように各ページを構成する画素を前記画素平面に配置
して各画素の階調値を決定する。なお、必要に応じて印刷物の画質を向上するためのシャ
ープネス強調処理等も実施する。
【００２７】
当該画像調整部２１ｃ１の処理によって生成されるデータはＲＧＢ表色系やＹＣＣ表色
系等で表現されたデータであり、制御部２０は、色変換処理部２１ｃ２の処理によりＲＧ
Ｂ表色系やＹＣＣ表色系等で表現されたデータの表色系を、インクの色を色成分としたイ
ンク表色系に変換する。さらに、制御部２０は、ハーフトーン処理部２１ｃ３の処理によ
り、上述の色変換後のデータに基づいて、各ページを構成する各画素に記録するインクの
量（インク吐出の有無やインク滴当たりのインク量）を示すデータを生成する。
【００２８】
ステップＳ１１０にて印刷データが生成されると、制御部２０は、印刷部３０に印刷を
実行させる（ステップＳ１１５）。すなわち、制御部２０は、印刷制御部２１ｃの処理に
より、印刷データを印刷部３０に対して出力する。印刷部３０においては、当該印刷デー
タを取得すると、当該印刷データが示す各インク吐出ノズルにおけるインク吐出量に従っ
て逐次インクを吐出する処理を行い、印刷媒体Ｐ上に各ページを印刷する。なお、制御部
２０は、ステップＳ１１５において、印刷データを記録媒体２２に記録しておく（印刷デ
ータ２２ａ）。
【００２９】
印刷部３０によって印刷が実行されると、印刷済の印刷媒体Ｐは搬送部３０ｂによって
逐次検査部３１の読取範囲に搬送される。このとき、検査部３１は、当該印刷媒体Ｐにお
ける印刷済の面を読み取り、読み取り結果を示す印刷済画像データを印刷制御装置１０に
対して出力する。制御部２０は、不良ページ情報取得部２１ｄの処理によって、当該画像
データに基づいて不良ページを示す不良ページ情報を取得する（ステップＳ１２０）。す
なわち、印刷済画像データは印刷媒体Ｐに対する印刷結果に対応しているため、制御部２
０は、印刷済画像データが示す画像と印刷データが示す画像とを比較することによって、
印刷済画像データが示す印刷結果に不良（例えば、ドット抜けやインクの不正な記録）が
発生しているか否かを判定する。不良が発生している場合には、当該不良が発生している
ページを不良ページとし、当該不良ページを示す不良ページ情報２２ｂを記録媒体２２に
記録する。
【００３０】
不良ページ情報が取得されると、制御部２０は、不良ページ情報印刷制御部２１ｅの処
理により、当該不良ページ情報を印刷する（ステップＳ１２２）。すなわち、制御部２０
は、不良ページ情報２２ｂを参照して、印刷済の印刷媒体Ｐ上の不良ページを特定し、当
該不良ページを示す記号を印刷媒体Ｐの欄外に印刷するための印刷データを生成する。そ
して、当該印刷データを不良ページ情報印刷部３３に出力し、当該不良ページ情報印刷部
３３に当該記号を印刷させる。なお、本実施形態において、印刷媒体Ｐに印刷される不良
ページ情報はバーコード記号によって構成されており、不良ページのページ番号を示すバ
ーコード記号が印刷媒体Ｐの欄外に印刷される。むろん、不良ページ情報には他の情報、
例えば、不良ページの有無を示す情報や不良の種類を示す情報、不良ページが面付けされ
ている位置を示す情報など、種々の情報を含めることができる。
【００３１】
次に、印刷制御部２１ｃは、上述の画像データ４１に含まれるすべてのページについて
印刷が終了したか否かを判別し（ステップＳ１２５）、すべてのページについて印刷が終
了したと判別されるまでステップＳ１１０以降の処理を繰り返す。ステップＳ１２５にて
、すべてのページについて印刷が終了したと判別された場合、制御部２０は、再印刷制御
部２１ｆの処理により、印刷不良が発生したか否かを判別する（ステップＳ１３０）。す
なわち、制御部２０は記録媒体２２を参照し、いずれかのページが不良であることを示す
不良ページ情報２２ｂが記録媒体２２に記録されているときには印刷不良が発生したと判
別する。ステップＳ１３０にて、印刷不良が発生したと判別されない場合には印刷制御処
理を終了する。
【００３２】
一方、ステップＳ１３０にて、印刷不良が発生したと判別された場合、制御部２０は、
再印刷制御部２１ｆの処理により、不良ページを再面付けし（ステップＳ１３５）、ステ
ップＳ１１０以降の処理を繰り返す（不良ページについて再印刷を行う）。すなわち、制
御部２０は、不良ページ情報２２ｂを参照して不良ページを特定し、当該不良ページにつ
いて、上述の印刷条件に対応した印刷を行うように印刷媒体上の配置を決定することによ
って再面付けを行う。また、このとき、再面付けされた不良ページの印刷媒体上の位置や
向きを示す情報を生成する。
【００３３】
なお、本実施形態において、当該再面付け後に繰り返されるステップＳ１１０において
は、記録媒体２２に記録済の印刷データ２２ａを流用して再面付けに基づく印刷を実行さ
せるための印刷データを生成する。すなわち、初回の印刷のために生成された印刷データ
２２ａから不良ページのデータ（ハーフトーン処理後のデータ）を抽出し、上述の面付け
に従って、上述の画素平面に対して当該ハーフトーン処理後のデータを再配置する。一枚
の印刷媒体への不良ページの再配置が完了すると、ステップＳ１１５において当該再配置
後のハーフトーン処理データから構成される再面付け後の印刷データを生成し、印刷部３
０に対して出力する。すなわち、再印刷を行う。さらに、再印刷されたページに不良ペー
ジが発生すれば当該不良ページを示す不良ページ情報を印刷する。そして、不良ページの
再印刷が完了するまでステップＳ１１０〜Ｓ１２５を繰り返す。
【００３４】
以上の処理によれば、複数のページを印刷媒体に面付けして印刷した各ページの一部ま
たは全部に印刷不良が発生したとしても、その不良ページは印刷媒体に対して再面付けさ
れるので、不良ページを再印刷する際に適切な印刷結果を得ることができる。また、不良
ページ情報を利用して容易に後工程における処理を行うことができる。
【００３５】
（２−１）印刷例１：
次に、以上の処理における印刷の例を説明する。図３は、印刷媒体の片面に対して４ペ
ージ分の面付けを行い、計１６ページの印刷を行う場合の印刷例を示している。なお、図
３においては各印刷媒体Ｐを矩形で示し、当該矩形の中の４個の矩形にて各ページを示し
ている。また、各ページを示す矩形内には各ページのページ番号を示す数値を付記してい
る。さらに、各印刷媒体Ｐに関し、添え字の文字ｆは初回印刷を示し、文字ｆの次の数値
は初回印刷時の印刷媒体の通し番号を示し、添え字の文字ｒは再印刷を示し、文字ｒの次
の数値は再印刷時の印刷媒体の通し番号を示している。
【００３６】
すなわち、この例においては、初回の印刷時に計４枚の印刷媒体に各４ページ、計１６
ページを面付けして印刷し、再印刷を１回実施した例を示している。さらに、図３におい
ては、ページを示す矩形内に×を付記することによって不良ページの発生を示しており、
同図３に示す例では初回印刷においてページ番号１，５，９，１３が不良ページであった
ことを示している。すなわち、図２に示す処理において、ステップＳ１０５にて図３の印
刷媒体Ｐf1〜Ｐf4に示すように面付けを行って、ステップＳ１１０にて当該面付けに従っ
て印刷を実行させる印刷データを生成し、ステップＳ１１５にて初回印刷を行う。ここで
は、この結果、図３に示すように各ページが印刷され、ページ番号１，５，９，１３が不
良ページであった場合を想定する。
【００３７】
この場合、ステップＳ１２０，Ｓ１２２によって不良ページ情報が各印刷媒体Ｐに印刷
される。すなわち、ページ番号１が不良ページであることを示す不良ページ情報Ｉ1が印
刷媒体Ｐf1の欄外（図３に示す例では印刷媒体の左下）に印刷される。同様に、ページ番
号５が不良ページであることを示す不良ページ情報Ｉ2が印刷媒体Ｐf2、ページ番号９が
不良ページであることを示す不良ページ情報Ｉ3が印刷媒体Ｐf3、ページ番号１３が不良
ページであることを示す不良ページ情報Ｉ4が印刷媒体Ｐf4の欄外に印刷される。
【００３８】
さらに、ステップＳ１２５，Ｓ１３０の判別を経て不良ページが存在すると判別され、
ステップＳ１３５にて不良ページの再面付けが行われる。図３に示す例では、ページ番号
１，５，９，１３が再面付けされる。この例は、片面印刷であるため、印刷媒体Ｐr1に示
すように各ページを詰めた状態で再面付けが行われる。また、ステップＳ１１０，Ｓ１１
５にて再印刷が行われる。この結果、図３に示すように、不良ページであるページ番号１
，５，９，１３が印刷された印刷媒体Ｐr1を得ることができる。当該再印刷されたページ
が不良ページでなければ、図３に示すように、再印刷された印刷媒体Ｐr1に不良ページ情
報は印刷されず、再印刷されたページが不良ページであれば印刷媒体Ｐr1に不良ページ情
報が印刷される。
【００３９】
（２−２）印刷例２：
図４は、印刷媒体の両面のそれぞれに対して４ページ分の面付けを行い、計１６ページ
の印刷を行う場合の印刷例を示している。なお、図４においても図の矩形や番号、添え字
の意味は図３と同様であり、これ以降の図においても同様である。また、本例においては
、印刷媒体Ｐの両面に対して印刷を実施するため、両面に対する印刷を実施できるように
印刷部３０を構成し、両面の印刷結果を検査できるように検査部３１を構成する。例えば
、図１の括弧内に示すように印刷部３０が印刷媒体反転ユニット３２を備える構成とし、
印刷部３０にて一旦印刷した印刷媒体Ｐを印刷媒体反転ユニット３２に搬送し、当該印刷
媒体反転ユニット３２にて反転した後、さらに印刷ヘッド３０ａに対して印刷媒体Ｐを搬
送するように構成する。当該印刷媒体反転ユニット３２以外の構成は図１に示す構成と同
様であり、処理は図２に示す処理とほぼ同様である。
【００４０】
図４に示す例においては、初回の印刷時に計２枚の印刷媒体の各面に４ページ、計１６
ページを面付けして印刷し、再印刷を１回実施した例を示している。また、この例では初
回印刷においてページ番号１，３，１３，１６が不良ページであった場合を想定している
。本実施形態におけるステップＳ１２２においては、裏面の印刷を行った後にのみ必要に
応じて不良ページ情報を印刷するように構成されている。従って、図４に示す例において
は、ページ番号１，３が不良ページであることを示す不良ページ情報Ｉ1が印刷媒体Ｐf1
の裏面の欄外に印刷される。同様に、ページ番号１３，１６が不良ページであることを示
す不良ページ情報Ｉ2が印刷媒体Ｐf2の裏面の欄外に印刷される。さらに、ステップＳ１
３５にてページ番号１，３，１３，１６のページについて再面付けが行われる。但し、本
例の印刷条件は両面印刷であるため、不良ページのおもて裏双方を印刷媒体に面付けする
。例えば、図４にて印刷媒体Ｐr1のおもて面に不良ページであるページ番号１，３，１３
のページを面付けし、不良ページであるページ番号１６の裏に相当するページ番号１５を
おもて面に面付けする。また、ページ番号１，３，１３，１５の裏面に相当するページ番
号２，４，１４，１６を各ページ番号に対応させて印刷媒体の裏面に面付けする。以上の
ように面付けを行うと、ステップＳ１１０〜Ｓ１２５にて再面付けされたページを再印刷
する。この結果、図４に示すように、両面の一方が不良ページであったとしても適正な両
面印刷を行うように再面付けして印刷を行うことができる。
【００４１】
（２−３）印刷例３：
さらに、不良ページ情報は、印刷媒体の欄外における複数の箇所に印刷しても良い。図
５Ａは、印刷媒体に対して４ページ分の面付けを行い、欄外の４カ所（図５Ａに示す例で
は四隅）に不良ページ情報を印刷する例を示している。この例においては、検査部３１に
て検査が終了した後の印刷媒体の四隅に不良ページ情報を印刷可能な位置に不良ページ情
報印刷部３３を配置する。そして、図２に示すステップＳ１２２にて印刷媒体の四隅に対
して逐次不良ページ情報を印刷させる。不良ページ読取部３５ａは、印刷媒体の四隅に印
刷された不良ページ情報を読み取り可能に構成し、各位置の不良ページ情報を読み取る。
そして、読み取ったそれぞれの不良ページ情報が示すページが同一であれば、そのページ
を不良ページとして特定し、同一でなければ各不良ページ情報による判定結果を多数決に
よって採用する。この構成によれば、より高精度に不良ページを特定することができる。
なお、不良ページ情報は誤り訂正を行うことができる記号で表現することが好ましく、当
該誤り訂正を行う記号を採用するとともに複数の位置に不良ページ情報を印刷する構成と
することで、不良ページ情報の誤認識率を極めて低い値にすることができる。
【００４２】
（２−４）印刷例４：
さらに、インクジェット方式の印刷部３０において発生する不良の影響を受けにくい態
様で不良ページ情報を印刷する構成としても良い。すなわち、印刷ヘッド３０ａが備える
インク吐出ノズルにおいてインク詰まりが発生すると印刷媒体Ｐの搬送方向に平行な方向
にドットが記録されない状態となる。但し、特定のノズルにてインク詰まりが発生し、そ
の隣接するノズルあるいは近隣のノズルで正常にインクを吐出できる場合には、印刷媒体
Ｐの搬送方向に平行な方向に細い線上のドット抜けが発生するのみである。そこで、バー
コード記号を構成する直線が延びる方向が印刷媒体の搬送方向に対して非平行になるよう
に構成してもよい。図５Ｂは、印刷媒体Ｐf1の搬送方向Ｄに対して垂直な方向に延びる直
線によって構成するバーコード記号を印刷する場合の構成例を示す図である。
【００４３】
図５Ｂは、印刷媒体に対して４ページ分の面付けを行い、欄外の４カ所（図５Ｂに示す
例では四隅）に不良ページ情報を印刷する例を示している。さらに、この例においては、
バーコード記号を構成する直線が搬送方向Ｄに対して垂直であるため、ドット抜けが発生
したとしてもバーコード記号を構成する直線の一部が不良となり、直線の全長に渡ってド
ット抜けとなることはない。従って、この構成によれば、より信頼性の高い状態で不良ペ
ージ情報を印刷することができる。むろん、図５Ｂに示す不良ページ情報は、印刷媒体に
対して複数箇所に印刷されることが必須というわけではなく、１カ所に印刷される構成で
あっても良い。
【００４４】
さらに、ドット抜けによる不良ページ情報の信頼性低下を抑制するための構成としては
図５Ｂに限定されず、図５Ａと図５Ｂとに示す不良ページ情報を混在させる図５Ｃのよう
な構成を採用しても良い。また、印刷媒体Ｐの搬送方向Ｄに対して直角を向くようにバー
コードの直線を構成することが必須というわけではなく、図５Ｄに示すように、各直線が
搬送方向Ｄに対して４５°の方向を向くように構成してもよい。
【００４５】
（３）他の実施形態：
以上の実施形態は本発明を実施するための一例であり、一枚の印刷媒体に複数のページ
を面付けした場合に発生する不良ページの情報を後工程で利用できるように印刷すること
ができる限りにおいて、他にも種々の実施形態を採用可能である。例えば、上述の実施形
態においては、印刷部３０の印刷ヘッド３０ａにて印刷媒体の搬送方向に対して垂直な方
向に主走査を行わない構成としたが、むろん、主走査を行う構成に本発明を適用しても良
い。また、この場合であっても、印刷媒体の搬送方向に平行な直線状にドット抜けが発生
するのであれば、図５Ｂ〜図５Ｄに示すような、印刷媒体の搬送方向に対して非平行に配
向した直線によって構成されるバーコードにて不良ページ情報を構成することにより、信
頼性の高い状態で不良ページ情報を印刷することが可能である。
【００４６】
さらに、上述の実施形態においては、不良ページ情報をバーコード記号によって構成し
たが、むろん、他の態様（例えば、文字等）によって不良ページ情報を構成してもよい。
例えば、文字によって構成してもよい。さらに、印刷媒体にＲＦＩＤチップを取り付け、
当該ＲＦＩＤに不良ページ情報を書き込む構成を採用しても良い。さらに、印刷部や不良
ページ情報印刷部は画像データが示す画像を印刷することができれば良く、インクジェッ
ト方式の他、トナーを定着させるための機構を含む電子写真式の印刷を行う印刷部を構成
してもよいし、他の方式の印刷を行う印刷部を構成してもよい。
【００４７】
さらに、不良ページ情報を利用する工程はセレクタ３６に限定されず、種々の工程で利
用可能である。例えば、不良ページ情報に基づいて不良ページを特定し、スタッカー３４
において、不良ページのみで構成されている印刷媒体を蓄積しないように構成してもよい
。また、カッター３５において、不良ページのみで構成されている印刷媒体を切断対象と
しない構成とし、また、連続する不良ページが存在する印刷媒体においてこれらの不良ペ
ージの間を切断しても無意味な場合に切断を省力する構成等を採用可能である。さらに、
不良ページを除去する構成のみに限定されず、不良ページを抽出し、当該不良ページの裏
面において裏写りが生じない場合に当該不良ページが印刷された印刷媒体を再利用する構
成としても良い。さらに、不良ページ情報に含まれる不良の原因によって印刷媒体を再利
用するか否かを決定する構成としても良い。
【図面の簡単な説明】
【００４８】
【図１】印刷制御装置の構成を示すブロック図である。
【図２】印刷制御処理を示すフローチャートである。
【図３】印刷例を示す図である。
【図４】印刷例を示す図である。
【図５】印刷例を示す図である。
【符号の説明】
【００４９】
１０…印刷制御装置、２０…制御部、２１…印刷制御プログラム、２１ａ…画像データ
取得部、２１ｂ…処理部、２１ｃ…印刷制御部、２１ｃ１…画像調整部、２１ｃ２…色変
換処理部、２１ｃ３…ハーフトーン処理部、２１ｄ…不良ページ情報取得部、２１ｅ…不
良ページ情報印刷制御部、２１ｆ…再印刷制御部、２２…記録媒体、２２ａ…印刷データ
、２２ｂ…不良ページ情報、３０…印刷部、３０ａ…印刷ヘッド、３０ｂ…搬送部、３１
…検査部、３２…印刷媒体反転ユニット、３３…不良ページ情報印刷部、３４…スタッカ
ー、３５…カッター、３５ａ…不良ページ情報読取部、３６…セレクタ、３７…ソーター
、３８…製本機、４１…画像データ
【図１】
2009202438.tif 000003
【図２】
2009202438.tif 000004
【図３】
2009202438.tif 000005
【図４】
2009202438.tif 000006
【図５】
2009202438.tif 000007